(57)【要約】【課題】衛星信号の受信機能と時間計測機能とを備え、使い易さを向上できる電子時計、および電子時計の制御方法を提供すること。【解決手段】電子時計１０は、衛星信号を受信する受信装置１２１と、受信装置１２１を作動させて受信処理を行う受信制御部と、時間を計測するクロノグラフ部３２０と、入力装置１５７と、受信制御部が受信処理を行っている間に、クロノグラフ部３２０を動作させる入力装置１５７の時間計測入力操作を検出すると、受信制御部の動作を終了させ、クロノグラフ部３２０を動作させる動作制御部と、を備える。【選択図】図４
2015194458.tif 000002
【特許請求の範囲】
【請求項１】
衛星信号を受信する受信装置と、
前記受信装置を作動させて受信処理を行う受信制御部と、
時間を計測する時間計測部と、
入力装置と、
前記受信制御部が受信処理を行っている間に、前記時間計測部を動作させる前記入力装置の時間計測入力操作を検出すると、前記受信制御部の動作を終了させ、前記時間計測部を動作させる動作制御部と、を備える
ことを特徴とする電子時計。
【請求項２】
請求項１に記載の電子時計において、
表示装置を備え、
前記受信制御部は、受信処理を終了した後に、受信結果表示処理を行い、受信結果を前記表示装置に表示させ、
前記動作制御部は、前記受信制御部が受信結果表示処理を行っている間に、前記時間計測入力操作を検出すると、前記受信制御部の動作を終了させ、前記時間計測部を動作させる
ことを特徴とする電子時計。
【請求項３】
請求項１または請求項２に記載の電子時計において、
前記受信制御部は、前記衛星信号の自動受信条件に該当したことに基づいて、前記受信装置を作動させて受信処理を行う自動受信制御部である
ことを特徴とする電子時計。
【請求項４】
請求項３に記載の電子時計において、
前記入力装置の入力操作に基づいて、前記受信装置を作動させて受信処理を行う手動受信制御部を備え、
前記動作制御部は、前記手動受信制御部が受信処理を行っている間に、前記時間計測入力操作を検出しても、前記手動受信制御部の動作を継続させ、前記時間計測部を動作させない
ことを特徴とする電子時計。
【請求項５】
請求項３または請求項４に記載の電子時計において、
前記自動受信制御部は、自動受信タイミングに該当すると動作し、
前記自動受信タイミングは、所定間隔で設定されており、
前記動作制御部は、前記自動受信タイミングに該当したことにより前記自動受信制御部が受信処理を行っている間に、前記時間計測入力操作を検出すると、前記自動受信制御部の動作を終了させるとともに、前記所定間隔よりも短い期間内に次回の自動受信タイミングを設定する
ことを特徴とする電子時計。
【請求項６】
請求項１から請求項５のいずれかに記載の電子時計において、
前記動作制御部は、前記時間計測部が動作している間に、受信処理を開始させる命令を検出しても、前記時間計測部の動作を継続させ、受信処理を開始させない
ことを特徴とする電子時計。
【請求項７】
請求項６に記載の電子時計において、
前記動作制御部は、前記時間計測部が動作している間に、受信処理を開始させる命令を検出すると、前記時間計測部の動作が終了した後に、受信処理を開始させる
ことを特徴とする電子時計。
【請求項８】
請求項１から請求項７のいずれかに記載の電子時計において、
前記入力装置の入力操作に基づいて、所定機能を実行する所定機能部を備え、
前記動作制御部は、前記所定機能部が動作している間に、前記時間計測入力操作を検出しても、前記所定機能部の動作を継続させ、前記時間計測部を動作させず、
前記所定機能部は、前記所定機能部の動作を終了させる前記入力装置の入力操作に基づいて動作を終了する
ことを特徴とする電子時計。
【請求項９】
請求項１から請求項７のいずれかに記載の電子時計において、
前記入力装置の入力操作に基づいて、所定機能を実行する所定機能部を備え、
前記動作制御部は、前記所定機能部が動作している間に、前記時間計測入力操作を検出すると、前記所定機能部の動作を終了させ、前記時間計測部を動作させる
ことを特徴とする電子時計。
【請求項１０】
請求項８または請求項９に記載の電子時計において、
前記所定機能部は、前記衛星信号の受信結果を表示する受信結果表示機能部、前記衛星信号に含まれる閏秒情報の受信結果を表示する閏秒受信結果表示機能部、自動受信制御部の機能を有効にするか無効にするかを選択する自動受信選択機能部の少なくともいずれかである
ことを特徴とする電子時計。
【請求項１１】
請求項１または請求項２に記載の電子時計において、
前記受信制御部は、前記入力装置の入力操作に基づいて、前記受信装置を作動させて受信処理を行う手動受信制御部であり、
前記動作制御部は、前記手動受信制御部が受信処理を行っている間に、前記時間計測入力操作を検出すると、前記手動受信制御部の動作を終了させ、前記時間計測部を動作させる
ことを特徴とする電子時計。
【請求項１２】
請求項１から請求項１１のいずれかに記載の電子時計において、
前記動作制御部は、前記受信制御部が受信処理を行っている間に、前記時間計測入力操作を検出すると、前記受信制御部による受信処理が終了した後に、前記時間計測部を動作させる
ことを特徴とする電子時計。
【請求項１３】
請求項１から請求項１１のいずれかに記載の電子時計において、
前記動作制御部は、前記受信制御部が受信処理を行っている間に、前記時間計測入力操作を検出すると、前記受信制御部に受信処理を終了する受信終了処理を開始させた後に、前記時間計測部を動作させる
ことを特徴とする電子時計。
【請求項１４】
衛星信号を受信する受信装置と、入力装置とを備える電子時計の制御方法であって、
前記受信装置を作動させて受信処理を行う受信制御ステップと、
時間を計測する時間計測ステップと、
前記受信制御ステップで受信処理を行っている間に、前記時間計測ステップを動作させる前記入力装置の時間計測入力操作を検出すると、前記受信制御ステップを終了させ、前記時間計測ステップを実行させる動作制御ステップと、を備える
ことを特徴とする電子時計の制御方法。
【発明の詳細な説明】
【技術分野】
【０００１】
本発明は、位置情報衛星から送信される衛星信号を受信する機能と、時間計測機能とを有する電子時計、および電子時計の制御方法に関する。
【背景技術】
【０００２】
従来、ＧＰＳ（Global Positioning System）から送信される衛星信号を受信して時刻情報を取得し、取得した時刻情報に応じた時刻を計時する電子時計において、時間を計測するクロノグラフ機能を有するものがある（例えば、特許文献１参照）。
特許文献１のＧＰＳ付き腕時計は、手動操作により、または、所定のタイミングで自動的に、測時モードまたは測位モードで衛星信号の受信を開始する。また、時針、分針、秒針による時刻表示機能の他に、１２時間針、３０分針、センター針により経過時間を計測するストップウォッチ機能（クロノグラフ機能）を備える。
【先行技術文献】
【特許文献】
【０００３】
【特許文献１】特開２０１０−９６５２３号公報
【発明の概要】
【発明が解決しようとする課題】
【０００４】
特許文献１のＧＰＳ付き腕時計では、例えば、自動的に開始された衛星信号の受信の最中に、手動操作によりクロノグラフ機能が実行される場合等、衛星信号の受信機能とクロノグラフ機能とが同時に実行される場合がある。衛星信号の受信機能やクロノグラフ機能の実行は、電池で駆動する時計にとって高負荷な処理となるため、これら２つの機能が同時に実行されると、一時的に時計の電池電圧が低下したり処理能力が低下するなどして、当該機能が正しく動作しない可能性がある。このため、使い勝手がよくない場合がある。
【０００５】
本発明の目的は、衛星信号の受信機能と時間計測機能とを備え、使い易さを向上できる電子時計、および電子時計の制御方法を提供することにある。
【課題を解決するための手段】
【０００６】
本発明の電子時計は、衛星信号を受信する受信装置と、前記受信装置を作動させて受信処理を行う受信制御部と、時間を計測する時間計測部と、入力装置と、前記受信制御部が受信処理を行っている間に、前記時間計測部を動作させる前記入力装置の時間計測入力操作を検出すると、前記受信制御部の動作を終了させ、前記時間計測部を動作させる動作制御部と、を備えることを特徴とする。
【０００７】
本発明によれば、受信制御部が受信処理を行っている間に、時間計測入力操作があると、動作制御部は、受信制御部の動作を終了させ、時間計測部を動作させる。
このため、衛星信号の受信処理と時間計測処理とが同時に実行されることがなく、電子時計の電池電圧が低下したり処理能力が低下することを抑制でき、時間計測部を正しく動作させることができる。これにより、入力操作に応じて確実に時間計測を実行でき、使い易さを向上できる。
【０００８】
本発明の電子時計において、表示装置を備え、前記受信制御部は、受信処理を終了した後に、受信結果表示処理を行い、受信結果を前記表示装置に表示させ、前記動作制御部は、前記受信制御部が受信結果表示処理を行っている間に、前記時間計測入力操作を検出すると、前記受信制御部の動作を終了させ、前記時間計測部を動作させることが好ましい。
【０００９】
本発明によれば、受信制御部が受信結果表示処理を行っている間に、時間計測入力操作があると、動作制御部は、受信制御部の動作を終了させ、時間計測部を動作させるため、入力操作に応じて確実に時間計測を実行できる。また、表示手段が例えば指針で構成されている場合、受信結果と時間計測の計測結果とを同じ指針を用いて表示させることができ、別々の指針を用いる場合と比べて、部品点数を低減でき、かつ、電子時計を小型化できる。
【００１０】
本発明の電子時計において、前記受信制御部は、前記衛星信号の自動受信条件に該当したことに基づいて、前記受信装置を作動させて受信処理を行う自動受信制御部であることが好ましい。
【００１１】
本発明によれば、自動受信制御部が受信処理を行っている間に、時間計測入力操作があると、動作制御部は、自動受信制御部の動作を終了させ、時間計測部を動作させる。
自動受信制御部による受信処理は、ユーザの操作によらずに自動的に行われるため、入力操作に基づいて行われる時間計測を優先させることで、ユーザの意図に応じた動作を実現でき、使い易さをより向上できる。
【００１２】
本発明の電子時計において、前記入力装置の入力操作に基づいて、前記受信装置を作動させて受信処理を行う手動受信制御部を備え、前記動作制御部は、前記手動受信制御部が受信処理を行っている間に、前記時間計測入力操作を検出しても、前記手動受信制御部の動作を継続させ、前記時間計測部を動作させないことが好ましい。
【００１３】
入力操作によって手動受信制御部が受信処理を行っている間に、時間計測入力操作が行われた場合、後者の入力操作は、ユーザが誤って入力装置を操作したことによる可能性が高い。
本発明によれば、入力操作によって手動受信制御部が受信処理を行っている間に、時間計測入力操作が行われても、手動受信制御部の動作は継続され、時間計測部が動作することもない。このため、ユーザの意図に反した動作が行われることを防止できる。
【００１４】
本発明の電子時計において、前記自動受信制御部は、自動受信タイミングに該当すると動作し、前記自動受信タイミングは、所定間隔で設定されており、前記動作制御部は、前記自動受信タイミングに該当したことにより前記自動受信制御部が受信処理を行っている間に、前記時間計測入力操作を検出すると、前記自動受信制御部の動作を終了させるとともに、前記所定間隔よりも短い期間内に次回の自動受信タイミングを設定することが好ましい。
【００１５】
本発明によれば、自動受信タイミングに該当したことにより自動受信制御部が動作している間に時間計測入力操作があり、自動受信制御部の動作が終了した場合、その後、所定間隔よりも短い期間内に受信処理を行うことができるため、受信間隔が所定間隔に対して大幅（例えば２倍以上）に長くなることを抑制できる。
【００１６】
本発明の電子時計において、前記動作制御部は、前記時間計測部が動作している間に、受信処理を開始させる命令を検出しても、前記時間計測部の動作を継続させ、受信処理を開始させないことが好ましい。
【００１７】
時間計測部の動作は、ユーザの入力操作で開始され、また、時間計測部の動作中は、例えば時間計測用の指針が動いているので、ユーザは、時間計測部が動作中であることを認識できる。このため、時間計測部が動作している間に、受信処理を開始させる命令がある場合は、自動受信条件に該当したか、または、ユーザが誤って入力操作を行ったことにより手動受信制御部が動作した可能性が高い。また、受信処理は後で行うことも可能であるのに対して、時間計測は、一旦計測を終了すると、後でやり直すことはできない。
このようなことから、時間計測部が動作している間に、受信処理を開始させる命令を検出しても、時間計測部の動作を継続し、受信処理を開始しないことで、ユーザの意図に反した動作が行われることを防止できる。
【００１８】
本発明の電子時計において、前記動作制御部は、前記時間計測部が動作している間に、受信処理を開始させる命令を検出すると、前記時間計測部の動作が終了した後に、受信処理を開始させることが好ましい。
本発明によれば、時間計測部の動作が終了した後、速やかに、衛星信号を自動的に受信できる。
【００１９】
本発明の電子時計において、前記入力装置の入力操作に基づいて、所定機能を実行する所定機能部を備え、前記動作制御部は、前記所定機能部が動作している間に、前記時間計測入力操作を検出しても、前記所定機能部の動作を継続させ、前記時間計測部を動作させず、前記所定機能部は、前記所定機能部の動作を終了させる前記入力装置の入力操作に基づいて動作を終了することが好ましい。
【００２０】
入力操作によって所定機能部が動作している間に、時間計測入力操作が行われた場合、後者の入力操作は、ユーザが誤って入力装置を操作したことによる可能性が高い。
本発明によれば、入力操作によって所定機能部が動作している間に、時間計測入力操作が行われても、所定機能部の動作は継続され、時間計測部が動作することもない。このため、ユーザの意図に反した動作が行われることを防止できる。
また、所定機能部は、所定機能部の動作を終了させる入力操作に基づいて動作を終了するため、所定機能部が動作している場合であっても、ユーザが時間計測を開始させたいと考えて入力操作を行えば、直ちに所定機能部の動作を終了させ、時間計測部を動作させることができる。これにより、使い易さを向上できる。
【００２１】
本発明の電子時計において、前記入力装置の入力操作に基づいて、所定機能を実行する所定機能部を備え、前記動作制御部は、前記所定機能部が動作している間に、前記時間計測入力操作を検出すると、前記所定機能部の動作を終了させ、前記時間計測部を動作させることが好ましい。
【００２２】
本発明によれば、所定機能部が動作している場合であっても、ユーザが時間計測を開始させたいと考えて時間計測入力操作を行えば、所定機能部の動作を終了させる入力操作を別途行うことなく、直ちに所定機能部の動作を終了させ、時間計測部を動作させることができる。これにより、使い易さを向上できる。
【００２３】
本発明の電子時計において、前記所定機能部は、前記衛星信号の受信結果を表示する受信結果表示機能部、前記衛星信号に含まれる閏秒情報の受信結果を表示する閏秒受信結果表示機能部、自動受信制御部の機能を有効にするか無効にするかを選択する自動受信選択機能部の少なくともいずれかであることが好ましい。
【００２４】
本発明によれば、入力操作によって受信結果表示機能部、閏秒受信結果表示機能部、自動受信選択機能部のいずれかの機能部が動作している間に、時間計測入力操作が行われても、各機能部の動作は継続され、時間計測部が動作することもない。
【００２５】
本発明の電子時計において、前記受信制御部は、前記入力装置の入力操作に基づいて、前記受信装置を作動させて受信処理を行う手動受信制御部であり、前記動作制御部は、前記手動受信制御部が受信処理を行っている間に、前記時間計測入力操作を検出すると、前記手動受信制御部の動作を終了させ、前記時間計測部を動作させることが好ましい。
【００２６】
本発明によれば、入力操作によって手動受信制御部が受信処理を行っている間に、時間計測入力操作が行われると、動作制御部は、手動受信制御部の動作を終了させ、時間計測部を動作させる。
このため、入力操作により受信処理が行われている場合であっても、ユーザが時間計測を開始したいと考えて時間計測入力操作を行えば、受信処理を終了させる入力操作を別途行うことなく、時間計測入力操作に応じて時間計測をすぐに実施でき、使い易さを向上できる。
【００２７】
本発明の電子時計において、前記動作制御部は、前記受信制御部が受信処理を行っている間に、前記時間計測入力操作を検出すると、前記受信制御部による受信処理が終了した後に、前記時間計測部を動作させることが好ましい。
【００２８】
本発明によれば、受信制御部が受信処理を終了した後に時間計測部が動作するため、受信処理と時間計測処理とが同時に実行されることを確実に防止でき、電子時計の電池電圧が低下したり処理能力が低下することを確実に抑制できる。
【００２９】
本発明の電子時計において、前記動作制御部は、前記受信制御部が受信処理を行っている間に、前記時間計測入力操作を検出すると、前記受信制御部に受信処理を終了する受信終了処理を開始させた後に、前記時間計測部を動作させることが好ましい。
【００３０】
ここで、受信終了処理が開始されてから、受信処理が終了するまでには、例えば、１００msecの時間を要する。
本発明によれば、受信制御部が受信終了処理を開始した後に、時間計測部が動作するため、例えば、受信処理が終了するのを待って、時間計測部が動作する場合と比べて、時間計測入力操作に応じて時間計測をすぐに実施でき、使い易さを向上できる。
【００３１】
本発明は、衛星信号を受信する受信装置と、入力装置とを備える電子時計の制御方法であって、前記受信装置を作動させて受信処理を行う受信制御ステップと、時間を計測する時間計測ステップと、前記受信制御ステップで受信処理を行っている間に、前記時間計測ステップを動作させる前記入力装置の時間計測入力操作を検出すると、前記受信制御ステップを終了させ、前記時間計測ステップを実行させる動作制御ステップと、を備えることを特徴とする。
本発明においても、上記電子時計の発明と同様の効果を得ることができる。
【図面の簡単な説明】
【００３２】
【図１】本発明の第１実施形態に係る電子時計を示す概略図である。
【図２】前記電子時計を表面側から見た平面図である。
【図３】前記電子時計を示す断面図である。
【図４】前記電子時計の電気制御ブロック図である。
【図５】前記実施形態に係る記憶装置のデータ構造図である。
【図６】前記電子時計の制御処理を示すフローチャートである。
【図７】前記制御処理における受信制御処理を示すフローチャートである。
【図８】前記制御処理における自動受信制御処理を示すフローチャートである。
【図９】前記制御処理における手動受信制御処理を示すフローチャートである。
【図１０】前記制御処理におけるクロノグラフ制御処理を示すフローチャートである。
【図１１】本発明の第２実施形態に係る自動受信制御処理を示すフローチャートである。
【発明を実施するための形態】
【００３３】
以下、本発明の具体的な実施形態を図面に基づいて説明する。
［第１実施形態］
［電子時計を含むＧＰＳの概略構成］
図１は、第１実施形態の電子時計１０を示す概略図である。まず、電子時計１０が、外部信号としての電波を用いて、現在地の位置情報と、時刻情報とを求めるＧＰＳの概要を説明する。
【００３４】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００３５】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００３６】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００３７】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００３８】
［電子時計の概略構成］
図２は、電子時計を表面側から見た平面図であり、図３は、電子時計の概略を示す部分断面図である。本実施形態の電子時計１０は、クロノグラフ機能を備えている。
【００３９】
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００４０】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透して、視認可能となっている。
また、文字板１１の裏面側にはカレンダー車（日車）１６が配置され、このカレンダー車１６はカレンダー小窓１５から視認可能となっている。
【００４１】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリューズ５０とが、設けられている。これらのＡボタン６１、Ｂボタン６２、Ｃボタン６３、Ｄボタン６４およびリューズ５０が操作されることにより、操作に応じた操作信号が出力される。
【００４２】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、各指針２１，２２，２３と、図３では図示しない指針７１，８１，９１およびカレンダー車１６とを駆動する駆動機構１４０などが備えられている。
指針軸２５は、外装ケース３０の平面視中心を通り、表裏方向に延在する中心軸に沿って設けられている。
【００４３】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００４４】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００４５】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００４６】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより、表示装置１４１を構成する各指針を駆動する。
駆動機構１４０は、具体的には、第１〜第６駆動機構を備える。第１駆動機構は、内部時計（現在時刻）の「分」および「時」を示す指針（分針）２２および指針（時針）２３を駆動する。また、図２に示す指針２１、第１小窓７０の指針７１、第２小窓８０の指針８１および第３小窓９０の指針９１も同様の駆動機構（図示略）で駆動される。すなわち、第２駆動機構はクロノグラフ機能の「秒」を示す指針（クロノグラフ秒針）２１を駆動し、第３駆動機構はクロノグラフ機能の「分」を示す指針（クロノグラフ分針）７１を駆動し、第４駆動機構は、内部時計の「秒」を示す指針（小秒針）８１を駆動し、第５駆動機構はクロノグラフ機能の「時」を示す指針（クロノグラフ時針）９１を駆動し、第６駆動機構は、カレンダー小窓１５から視認されるカレンダー車１６を駆動する。
【００４７】
回路基板１２０は、受信装置（ＧＰＳモジュール）１２１、制御装置３００、記憶装置２００を備えている。また、この回路基板１２０とアンテナ体１１０とは、アンテナ接続ピン１１５を用い接続されている。受信装置１２１、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００４８】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００４９】
［電子時計の表示機構］
文字板１１の最外周には、図２に示すように、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００５０】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００５１】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星から受信した衛星信号に基づく各種情報の取得結果（Ｙ：受信（取得）成功、Ｎ：受信（取得）失敗）を表す。ユーザがＢボタン６２を操作することにより、受信結果の表示モードに移行すると、指針８１が「Ｙ」または「Ｎ」のいずれか一方を指示し、衛星信号の取得結果を表示する。また、ユーザがＡボタン６１とＢボタン６２とを操作して、衛星信号の自動受信のＯＮ／ＯＦＦを設定することができる。
【００５２】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００５３】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。ユーザがリューズ５０とＢボタン６２を操作して、指針９１を「ＤＳＴ」または「○」に合わせることで、電子時計１０に夏時間のＯＮ／ＯＦＦを設定することができる。
【００５４】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図３参照）のパワーインジケーターであり、電池の残量に応じて、指針９１が基端、先端、中間のいずれかを指し示す。
【００５５】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。ユーザはＡボタン６１を操作し、指針９１で記号９３（機内モード）を選択することで、電子時計１０の衛星信号の受信を停止させることができる。
【００５６】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、内部時刻と後述するタイムゾーンとが修正されること（測位モード）を意味する。
また、ユーザはＡボタン６１を操作して受信モードを設定できる。すなわち、指針９１で「１」を選択すると時刻情報の受信モード（測時モード）が設定される。また、指針９１で「４＋」を選択すると位置情報の受信モード（測位モード）が設定される。
さらに、ユーザがＢボタン６２を操作して情報取得結果モードを選択すると、指針９１が「１」または「４＋」のいずれかを指し示し、電子時計１０が直前に受信した衛星信号の受信モードを表示する。
【００５７】
カレンダー小窓１５は、文字板１１を矩形状に開口した開口部に設けられており、開口部からカレンダー車１６に印刷された数字が視認可能となっている。この数字は、年月日の「日」を表す。
【００５８】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５９】
上述したように、文字板１１には、６０分割された分および秒を表示する目盛が刻まれ、文字板１１の外周部を囲むダイヤルリング４０には、この目盛に沿って、協定世界時（ＵＴＣ）との時差を表す時差情報４５が数字と、数字以外の記号とで表記されている。数字の時差情報４５は整数の時差であり、記号の時差情報４５は整数以外の時差であることを表している。指針２２，２３，８１で表示された内部時刻と、ＵＴＣとの時差は、リューズ５０の操作により指針２１の指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５と都市情報３５との表記をタイムゾーン表示４６という。本実施形態では、全世界で使用されているタイムゾーンの数と等しいタイムゾーン表示４６が表記されている。
【００６０】
［電子時計の電気的機構］
図４は、電子時計１０の電気制御ブロック図である。
電子時計１０は、図４に示すように、ＣＰＵ（中央処理装置）で構成される制御装置３００と、ＲＡＭ（Random Access Memory）やＲＯＭ（Read Only Memory）で構成される記憶装置２００と、受信装置（ＧＰＳモジュール）１２１、入力装置１５７、駆動機構１４０、計時装置１５５の周辺装置とを備えている。これらの各装置は、データバスを介してデータを送受信する。入力装置１５７は、図２に示すリューズ５０、Ａボタン６１、Ｂボタン６２、Ｃボタン６３、Ｄボタン６４である。なお、電子時計１０は、電源となる充電可能な二次電池１３０（図３参照）を内蔵している。二次電池１３０は、ソーラーパネル１３５から供給される電力で充電される。
【００６１】
［受信装置］
受信装置１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図３に示すカバーガラス３３とダイヤルリング４０とを通過した衛星信号の電波を受信する。
【００６２】
そして、受信装置１２１は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。
【００６３】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６４】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６５】
情報取得手段は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得手段は、受信した航法メッセージから所定のデータ部分を抽出することにより、ＧＰＳ時刻情報や位置情報を取得することができる。
【００６６】
また、サブフレーム４および５は、全衛星の軌道情報（アルマナック）や電離層補正情報が含まれ、これらはデータ数が多いためにページ単位に分割されてサブフレームに収容される。すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。なお、閏秒情報（閏秒更新情報）は、サブフレーム４のページ１８に格納されており、当該サブフレーム４のページ１８を受信すれば、閏秒情報を取得できる。
【００６７】
［計時装置］
計時装置１５５は、二次電池１３０に蓄積された電力で駆動される水晶振動子等を備え、水晶振動子の発振信号に基づく基準信号を用いて時刻データを更新する。
【００６８】
［記憶装置］
記憶装置２００は、図５に示すように、時刻データ記憶部２１０と、タイムゾーンデータ記憶部２２０と、定時受信時刻記憶部２３０とを備えている。
時刻データ記憶部２１０には、受信時刻データ２１１と、閏秒更新データ２１２と、内部時刻データ２１３と、時計表示用時刻データ２１４と、タイムゾーンデータ２１５とが記憶される。
受信時刻データ２１１には、衛星信号から取得した時刻情報（ＧＰＳ時刻）が記憶される。この受信時刻データ２１１は、通常は計時装置１５５によって１秒毎に更新され、衛星信号を受信した際には、取得した時刻情報（ＧＰＳ時刻）によって修正される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００６９】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が前記計時装置１５５で更新される際に、この内部時刻情報も更新される。
【００７０】
時計表示用時刻データ２１４には、前記内部時刻データ２１３の内部時刻情報に、タイムゾーンデータ２１５のタイムゾーンデータ（時差情報）を加味した時刻データが記憶される。タイムゾーンデータ２１５は、ユーザが手動で選択した場合や測位モードで受信した場合に得られる位置情報で設定される。
【００７１】
タイムゾーンデータ記憶部２２０は、位置情報（緯度、経度）とタイムゾーン（時差情報）とを関連付けて記憶している。このため、測位モードで位置情報を取得した場合、制御装置３００は、その位置情報（緯度、経度）に基づいてタイムゾーンデータを取得できるようにされている。
【００７２】
なお、タイムゾーンデータ記憶部２２０には、さらに、都市名とタイムゾーンデータとを関連付けて記憶されている。したがって、前述のとおり、リューズ５０等の入力装置１５７の操作によって、ユーザが現地時刻を知りたい都市名を選択すると、制御装置３００は、タイムゾーンデータ記憶部２２０に対してユーザが設定した都市名を検索し、その都市名に対応するタイムゾーンデータを取得してタイムゾーンデータ２１５に設定する。
【００７３】
定時受信時刻記憶部２３０には、後述する定時受信処理を実行する定時受信時刻が記憶される。この定時受信時刻は、前回、Ｂボタン６２を操作して強制受信に成功した時刻が記憶される。
【００７４】
なお、記憶装置２００には、位置情報衛星の軌道情報（アルマナック、エフェメリス）は記憶されていない。電子時計１０は、腕時計であり、記憶装置２００の容量にも制約があり、また、二次電池１３０の容量にも制約があって軌道情報を取得するための長時間の受信を行うことが難しいためである。したがって、電子時計１０の受信処理は、軌道情報を有していないコールドスタート状態で行われる。
【００７５】
［制御装置］
制御装置３００は、電子時計１０を制御するＣＰＵで構成されている。制御装置３００は、自動受信制御部（本発明の受信制御部を構成）３１１と、手動受信制御部３１２と、タイムゾーン設定部３１３と、タイムゾーン修正部３１４と、時刻修正部３１５と、閏秒取得部３１６と、閏秒修正部３１７と、クロノグラフ部３２０と、所定機能部３３０と、動作制御部３４０とを備える。
【００７６】
［自動受信制御部］
自動受信制御部３１１は、衛星信号の自動受信条件に該当したことに基づいて、受信装置１２１を作動して測時モードでの自動受信処理を行う。
自動受信処理は、定時自動受信処理と、光自動受信処理の２種類がある。
自動受信制御部３１１は、所定間隔で設定された自動受信タイミングに該当すると、受信装置１２１を作動して測時モードでの定時自動受信処理を行う。例えば、自動受信制御部３１１は、３日に１回の間隔で、計時している時計表示用時刻データ２１４が、定時受信時刻記憶部２３０に記憶された定時受信時刻になった場合に、受信装置１２１を作動して測時モードでの定時自動受信処理を行う。
また、自動受信制御部３１１は、ソーラーパネル１３５の発電電圧または発電電流が設定値以上となり、屋外においてソーラーパネル１３５に日光が照射していると判断できる場合に、受信装置１２１を作動して測時モードでの光自動受信処理を行う。なお、ソーラーパネル１３５の発電状態で受信装置１２１を作動する処理の回数は、１日に一回などに制約してもよい。
【００７７】
自動受信処理が行われると、受信装置１２１は、少なくとも１つのＧＰＳ衛星８を捕捉し、そのＧＰＳ衛星８から送信される衛星信号を受信して時刻情報を取得する。
また、衛星信号の受信に成功して時刻情報を取得できた場合、および、衛星信号の受信に成功しないまま予め設定された受信時間が経過した場合（受信に失敗した場合）、自動受信制御部３１１は、受信結果表示処理を行い、衛星信号の受信結果を、表示装置１４１に表示させる。
すなわち、自動受信制御部３１１は、指針９１を、測時モードを示す「１」の数字を指示する位置に移動させる。そして、自動受信制御部３１１は、受信に成功している場合は、指針８１を「Ｙ」を指示する位置に移動させ、受信に失敗している場合は、指針８１を「Ｎ」を指示する位置に移動させる。
【００７８】
［手動受信制御部］
手動受信制御部３１２は、入力装置１５７に対する入力操作に基づいて、受信装置１２１を作動して測時モードまたは測位モードでの手動受信処理を行う。
具体的には、手動受信制御部３１２は、ユーザが入力装置１５７のＢボタン６２を、３秒以上６秒未満押して強制受信操作を行った場合、受信装置１２１を作動して測時モードでの手動受信処理を行う。
測時モードでの手動受信処理が行われると、受信装置１２１は、少なくとも１つのＧＰＳ衛星８を捕捉し、そのＧＰＳ衛星８から送信される衛星信号を受信して時刻情報を取得する。
【００７９】
また、手動受信制御部３１２は、Ｂボタン６２を６秒以上押して強制受信操作を行った場合に、受信装置１２１を作動して測位モードでの手動受信処理を行う。
測位モードでの手動受信処理が行われると、受信装置１２１は、少なくとも３個、好ましくは４個以上のＧＰＳ衛星８を捕捉し、各ＧＰＳ衛星８から送信される衛星信号を受信して位置情報を算出して取得する。また、受信装置１２１は、衛星信号を受信した際に時刻情報も同時に取得できる。
【００８０】
また、衛星信号の受信に成功して時刻情報または測位情報を取得できた場合、および、衛星信号の受信に成功しないまま予め設定された受信時間が経過した場合（受信に失敗した場合）、手動受信制御部３１２は、受信結果表示処理を行い、衛星信号の受信結果を、表示装置１４１に表示させる。
すなわち、手動受信制御部３１２は、受信処理が測時モードの場合は、指針９１を「１」の数字を指示する位置に移動させ、測位モードの場合は、指針９１を「４＋」の記号を指示する位置に移動させる。そして、手動受信制御部３１２は、受信に成功している場合は、指針８１を「Ｙ」を指示する位置に移動させ、受信に失敗している場合は、指針８１を「Ｎ」を指示する位置に移動させる。
【００８１】
［タイムゾーン設定部］
タイムゾーン設定部３１３は、手動受信制御部３１２による測位モードでの受信処理で位置情報の取得に成功した場合、取得した位置情報（緯度、経度）に基づいてタイムゾーンデータを設定する。具体的には、タイムゾーンデータ記憶部２２０から位置情報に対応するタイムゾーンデータ（タイムゾーン情報つまり時差情報）を選択して取得し、タイムゾーンデータ２１５に記憶する。
例えば、日本標準時（ＪＳＴ）は、ＵＴＣに対して９時間進めた時刻（ＵＴＣ＋９）であるため、取得した位置情報が日本である場合には、タイムゾーン設定部３１３は、タイムゾーンデータ記憶部２２０から日本標準時の時差情報（＋９時間）を読み出してタイムゾーンデータ２１５に記憶する。
【００８２】
［タイムゾーン修正部］
タイムゾーン修正部３１４は、タイムゾーン設定部３１３がタイムゾーンデータを設定すると、時計表示用時刻データ２１４を、前記タイムゾーンデータを用いて修正する。このため、時計表示用時刻データ２１４は、ＵＴＣである内部時刻データ２１３にタイムゾーンデータを加算した時刻となる。
【００８３】
［時刻修正部］
時刻修正部３１５は、自動受信制御部３１１や手動受信制御部３１２の受信処理で時刻情報の取得に成功した場合、取得した時刻情報で受信時刻データ２１１を修正する。このため、内部時刻データ２１３および時計表示用時刻データ２１４も修正される。
【００８４】
［閏秒取得部］
閏秒取得部３１６は、閏秒受信条件に該当する場合、自動受信制御部３１１や手動受信制御部３１２による受信処理が行われた場合に、閏秒取得処理を行う。閏秒取得処理が行われると、受信装置１２１は、時刻情報の取得に続けて閏秒情報を取得する。
閏秒受信条件に該当する場合とは、閏秒更新データ２１２に閏秒情報が記憶されていない場合と、内部時刻データ２１３に記憶された内部時刻情報による月日が閏秒受信期間であり、かつ、その期間での閏秒情報の受信に成功していない場合である。
閏秒取得処理が行われると、受信装置１２１は、少なくとも１つのＧＰＳ衛星８を捕捉し、そのＧＰＳ衛星８から送信される衛星信号を受信して閏秒情報を取得する。なお、閏秒情報は、前述の通り、サブフレーム４のページ１８に格納され、１２．５分間隔で送信される。
【００８５】
［閏秒修正部］
閏秒修正部３１７は、閏秒取得部３１６による閏秒取得処理で取得された閏秒情報を用いて、閏秒更新データ２１２に記憶される閏秒情報を修正する。
【００８６】
［クロノグラフ部］
クロノグラフ部３２０は、通常の時刻表示モードにおいて、Ｃボタン６３が押された場合に動作し、クロノグラフ（時間計測）をスタートする。すなわち、このＣボタン６３が押される操作が、本発明の時間計測入力操作に相当する。また、Ｃボタン６３が再度押されると、クロノグラフをストップする。そして、ストップ状態でＤボタン６４が押されると、クロノグラフをリセットし、クロノグラフ部３２０は動作を停止し、時刻表示モードに戻る。すなわち、クロノグラフ部３２０は、時間を計測する本発明の時間計測部を構成する。
【００８７】
［所定機能部］
所定機能部３３０は、入力装置１５７に対する入力操作に基づいて動作する、衛星信号の受信結果を表示する受信結果表示機能部３３１と、閏秒情報の受信結果を表示する閏秒受信結果表示機能部３３２と、自動受信制御部３１１の機能を有効にするか無効にするかを選択する自動受信選択機能部３３３とを備える。
【００８８】
受信結果表示機能部３３１は、通常の時刻表示モードにおいて、Ｂボタン６２が３秒未満押された場合に動作し、前回の衛星信号の受信処理における受信結果を、表示装置１４１に表示させる。
すなわち、受信結果表示機能部３３１は、受信処理が測時モードの場合は、指針９１を「１」の数字を指示する位置に移動させ、測位モードの場合は、指針９１を「４＋」の記号を指示する位置に移動させる。そして、受信結果表示機能部３３１は、受信に成功している場合は、指針８１を「Ｙ」を指示する位置に移動させ、受信に失敗している場合は、指針８１を「Ｎ」を指示する位置に移動させる。
【００８９】
閏秒受信結果表示機能部３３２は、通常の時刻表示モードにおいて、Ｂボタン６２が３秒未満押された後にさらに１回押された場合に動作し、前回の閏秒情報の受信処理における受信結果を、表示装置１４１に表示させる。
すなわち、閏秒受信結果表示機能部３３２は、指針９１を１２時方向に表記された「０」の数字を指示する位置に移動させる。そして、閏秒受信結果表示機能部３３２は、受信に成功している場合は、指針８１を「Ｙ」を指示する位置に移動させ、受信に失敗している場合は、指針８１を「Ｎ」を指示する位置に移動させる。
【００９０】
自動受信選択機能部３３３は、通常の時刻表示モードにおいて、Ａボタン６１およびＢボタン６２が同時に３秒以上押された場合に動作し、Ｂボタン６２が押される度に、自動受信制御部３１１の機能の有効および無効を切り替える。
このとき、自動受信選択機能部３３３は、指針８１を、有効および無効のいずれかを表示する位置に移動させる。例えば、自動受信選択機能部３３３は、指針８１を、有効の場合は１０秒位置を指示する位置に移動させ、無効の場合は２０秒位置を指示する位置に移動させる。
なお、各機能部３３１〜３３３は、Ａボタン６１〜Ｄボタン６４およびリューズ５０のいずれかに対するボタン操作により、動作を終了する。
【００９１】
［動作制御部］
動作制御部３４０は、入力装置１５７に対する入力操作を検出し、自動受信制御部３１１、手動受信制御部３１２、クロノグラフ部３２０、所定機能部３３０の動作の開始および終了を制御する。
また、動作制御部３４０は、自動受信制御部３１１による定時自動受信処理を終了させた場合、前述の所定間隔よりも短い期間内に次回の自動受信タイミングを設定する。例えば、動作制御部３４０は、翌日の定時受信時刻を、次回の自動受信タイミングに設定する。
【００９２】
［制御処理］
次に、電子時計１０の制御処理について、図６〜図１０のフローチャートに基づいて説明する。
図６に示すように、制御装置３００は、自動受信制御部３１１を動作させる自動受信条件に該当したか、または、手動受信制御部３１２を動作させる入力操作（Ｂボタン６２の３秒以上の押込操作）があったかを判定する。すなわち、制御装置３００は、衛星信号の受信処理を開始させる命令があったかを判定する（Ｓ１）。
Ｓ１でＹＥＳと判定された場合、制御装置３００は、後述する受信制御処理Ｓ２を実行する。
【００９３】
Ｓ１でＮＯと判定された場合、または、Ｓ２の処理の後、制御装置３００は、クロノグラフを開始させる入力操作（Ｃボタン６３の押込操作）があったかを判定する（Ｓ３）。
Ｓ３でＹＥＳと判定された場合、制御装置３００は、後述するクロノグラフ制御処理Ｓ４を実行する。
【００９４】
Ｓ３でＮＯと判定された場合、または、Ｓ４の処理の後、制御装置３００は、所定機能部３３０を動作させる前述の各入力操作があったかを判定する（Ｓ５）。
Ｓ５でＹＥＳと判定された場合、制御装置３００は、後述する所定機能制御処理Ｓ６を実行する。
Ｓ５でＮＯと判定された場合、または、Ｓ６の処理の後、制御装置３００は、処理をＳ１に戻す。このようにして、Ｓ１〜Ｓ６の処理は繰り返し実行される。
【００９５】
［受信制御処理］
次に、受信制御処理Ｓ２について説明する。
図７に示すように、まず、制御装置３００は、Ｓ１で判定した受信処理が自動受信処理かを判定する（Ｓ２１）。
Ｓ２１でＹＥＳと判定された場合、制御装置３００は、自動受信制御処理Ｓ７０を実行する。
【００９６】
［自動受信制御処理］
図８に示すように、まず、自動受信制御部３１１は、受信装置１２１を作動して、衛星信号の受信処理を開始する（Ｓ７１）。すなわち、Ｓ７１は、本発明の受信制御ステップを構成する。
次に、動作制御部３４０は、クロノグラフを開始させる入力操作があったかを判定する（Ｓ７２）。
【００９７】
Ｓ７２でＮＯと判定された場合、自動受信制御部３１１は、受信処理により衛星信号の受信に成功して時刻情報を取得できたかを判定する（Ｓ７３）。
Ｓ７３でＮＯと判定された場合、自動受信制御部３１１は、受信処理を開始してから予め設定された受信時間が経過したかを判定する（Ｓ７４）。
Ｓ７４でＮＯと判定された場合は、自動受信制御部３１１は、処理をＳ７２に戻す。すなわち、Ｓ７２でＹＥＳと判定された場合、および、Ｓ７３でＹＥＳと判定される場合を除いて、前記受信時間が経過するまで、Ｓ７２，Ｓ７３，Ｓ７４の判定処理が繰り返し実行される。
【００９８】
Ｓ７２でＹＥＳと判定された場合、動作制御部３４０は、自動受信制御部３１１の動作を終了させる（Ｓ７５）。すなわち、動作制御部３４０は、受信処理を強制的に終了させる。
次に、動作制御部３４０は、後述するクロノグラフ制御処理Ｓ４を実行させる。すなわち、Ｓ７２、Ｓ７５は、本発明の動作制御ステップを構成する。
【００９９】
そして、クロノグラフ制御処理Ｓ４が実行されて終了すると、動作制御部３４０は、受信処理が定時自動受信処理かを判定する（Ｓ７６）。Ｓ７６でＮＯと判定された場合、制御装置３００は、自動受信制御処理Ｓ７０を終了する。
Ｓ７６でＹＥＳと判定された場合、動作制御部３４０は、前述の所定間隔よりも短い期間内に、次回の自動受信タイミングを設定する。例えば、動作制御部３４０は、翌日の定時受信時刻を、次回の自動受信タイミングに設定する（Ｓ７７）。このとき、動作制御部３４０は、設定した次回の受信タイミングを基準にして、所定間隔で受信タイミングを再設定する。そして、制御装置３００は、自動受信制御処理Ｓ７０を終了する。
【０１００】
Ｓ７３でＹＥＳと判定された場合、または、Ｓ７４でＹＥＳと判定された場合、自動受信制御部３１１は、衛星信号の受信処理を終了する（Ｓ７８）。
次に、自動受信制御部３１１は、受信結果表示処理を行って、衛星信号の受信結果を表示装置１４１に表示させる（Ｓ７９）。
【０１０１】
次に、動作制御部３４０は、クロノグラフを開始させる入力操作があったかを判定する（Ｓ８０）。
Ｓ８０でＮＯと判定された場合、自動受信制御部３１１は、受信結果表示処理を終了させる入力操作（Ｂボタン６２の押込操作）があったかを判定する（Ｓ８１）。
Ｓ８１でＮＯと判定された場合、自動受信制御部３１１は、受信結果表示処理を開始してから予め設定された表示時間が経過したかを判定する（Ｓ８２）。
Ｓ８２でＮＯと判定された場合は、自動受信制御部３１１は、処理をＳ８０に戻す。すなわち、Ｓ８０でＹＥＳと判定された場合、および、Ｓ８１でＹＥＳと判定された場合を除いて、前記表示時間が経過するまで、Ｓ８０、Ｓ８１、Ｓ８２の判定処理が繰り返し実行される。
【０１０２】
Ｓ８０でＹＥＳと判定された場合、動作制御部３４０は、自動受信制御部３１１の動作を終了させる（Ｓ８３）。すなわち、動作制御部３４０は、受信結果表示処理を強制的に終了させる。
次に、動作制御部３４０は、後述するクロノグラフ制御処理Ｓ４を実行させる。そして、制御装置３００、自動受信制御処理Ｓ７０を終了する。
【０１０３】
Ｓ８１でＹＥＳと判定された場合、または、Ｓ８２でＹＥＳと判定された場合、自動受信制御部３１１は、受信結果表示を終了する（Ｓ８４）。そして、制御装置３００は、自動受信制御処理Ｓ７０を終了する。
【０１０４】
図７に戻り、Ｓ２１でＮＯと判定された場合、制御装置３００は、手動受信制御処理Ｓ９０を実行する。
［手動受信制御処理］
図９に示すように、まず、動作制御部３４０は、他の処理の割込を禁止する割込禁止フラグを有効（ＯＮ）にする（Ｓ９１）。
次に、手動受信制御部３１２は、受信装置１２１を作動して、衛星信号の受信処理を開始する（Ｓ９２）。
次に、手動受信制御部３１２は、受信処理により衛星信号の受信に成功して時刻情報を取得できたかを判定する（Ｓ９３）。
Ｓ９３でＮＯと判定された場合、手動受信制御部３１２は、受信処理を開始してから予め設定された受信時間が経過したかを判定する（Ｓ９４）。
Ｓ９４でＮＯと判定された場合は、手動受信制御部３１２は、処理をＳ９３に戻す。すなわち、衛星信号の受信に成功してＳ９３でＹＥＳと判定される場合を除いて、前記受信時間が経過するまで、Ｓ９３、Ｓ９４の判定処理が繰り返し実行される。
【０１０５】
Ｓ９３でＹＥＳと判定された場合、または、Ｓ９４でＹＥＳと判定された場合、手動受信制御部３１２は、衛星信号の受信処理を終了する（Ｓ９５）。
次に、手動受信制御部３１２は、受信結果表示処理を行って、衛星信号の受信結果を表示装置１４１に表示させる（Ｓ９６）。
【０１０６】
次に、手動受信制御部３１２は、受信結果表示処理を終了させる入力操作（Ｂボタン６２の押込操作）があったかを判定する（Ｓ９７）。
Ｓ９７でＮＯと判定された場合、手動受信制御部３１２は、受信結果表示処理を開始してから予め設定された表示時間が経過したかを判定する（Ｓ９８）。
Ｓ９８でＮＯと判定された場合は、手動受信制御部３１２は、処理をＳ９７に戻す。すなわち、受信結果表示処理を終了させる入力操作があってＳ９７でＹＥＳと判定される場合を除いて、前記表示時間が経過するまで、Ｓ９７、Ｓ９８の判定処理が繰り返し実行される。
【０１０７】
Ｓ９７でＹＥＳと判定された場合、または、Ｓ９８でＹＥＳと判定された場合、手動受信制御部３１２は、受信結果表示処理を終了する（Ｓ９９）。
次に、動作制御部３４０は、割込禁止フラグを無効（ＯＦＦ）にする（Ｓ１００）。そして、制御装置３００は、手動受信制御処理Ｓ９０を終了する。
【０１０８】
図７に戻り、自動受信制御処理Ｓ７０の後、または、手動受信制御処理Ｓ９０の後、時刻修正部３１５は、Ｓ７０またはＳ９０で衛星信号の受信に成功して時刻情報を取得できた場合、取得した時刻情報で受信時刻データ２１１を修正する。このため、内部時刻データ２１３および時計表示用時刻データ２１４も修正される（Ｓ２２）。そして、制御装置３００は、受信制御処理Ｓ２を終了する。
【０１０９】
［クロノグラフ制御処理］
次に、クロノグラフ制御処理Ｓ４について説明する。
図１０に示すように、まず、動作制御部３４０は、割込禁止フラグをＯＮする（Ｓ４１）。
次に、クロノグラフ部３２０は、クロノグラフをスタートする（Ｓ４２）。
そして、クロノグラフ部３２０は、Ｃボタン６３が押されたかを判定する（Ｓ４３）。
Ｓ４３でＮＯと判定された場合、クロノグラフ部３２０はＳ４３の判定処理を繰り返す。
一方、Ｓ４３でＹＥＳと判定された場合、クロノグラフ部３２０は、クロノグラフをストップする（Ｓ４４）。すなわち、Ｓ４２〜Ｓ４４は、本発明の時間計測ステップを構成する。
【０１１０】
次に、クロノグラフ部３２０は、Ｄボタン６４が押されたかを判定する（Ｓ４５）。
Ｓ４５でＮＯと判定された場合、クロノグラフ部３２０は、Ｃボタン６３が押されたかを判定する（Ｓ４６）。
Ｓ４６でＮＯと判定された場合、クロノグラフ部３２０は、処理をＳ４５に戻す。一方、Ｓ４６でＹＥＳと判定された場合、クロノグラフ部３２０は、処理をＳ４２に戻し、クロノグラフを再度スタートする。
【０１１１】
一方、Ｓ４５でＹＥＳと判定された場合、クロノグラフ部３２０は、クロノグラフをリセットする（Ｓ４７）。
次に、動作制御部３４０は、割込禁止フラグをＯＦＦする（Ｓ４８）。そして、制御装置３００は、クロノグラフ制御処理Ｓ４を終了する。
【０１１２】
［所定機能制御処理］
次に、所定機能制御処理Ｓ６について説明する。
まず、動作制御部３４０は、割込禁止フラグをＯＮする。
次に、入力操作に応じて、所定機能部３３０における、受信結果表示機能部３３１、閏秒受信結果表示機能部３３２、自動受信選択機能部３３３のいずれかが動作する。
具体的には、Ｂボタン６２が３秒未満押された場合には、受信結果表示機能部３３１が動作し、Ｂボタン６２が３秒未満押された後にさらに１回押された場合には、閏秒受信結果表示機能部３３２が動作し、Ａボタン６１およびＢボタン６２が同時に３秒以上押された場合には、自動受信選択機能部３３３が動作する。
そして、ボタン操作等により各機能部３３１〜３３３の動作を終了させる命令があると、動作制御部３４０は、割込禁止フラグをＯＦＦする。そして、制御装置３００は、所定機能制御処理Ｓ６を終了する。
【０１１３】
［第１実施形態の作用効果］
上述した第１実施形態における電子時計１０によれば、以下の効果を奏する。
すなわち、自動受信制御部３１１が衛星信号の受信処理を行っている間に、クロノグラフを開始させる入力操作があると、動作制御部３４０は、Ｓ７５で衛星信号の受信処理を終了させ、クロノグラフを実行させる。
このため、衛星信号の受信処理とクロノグラフとが同時に実行されることがなく、電子時計１０の電池電圧が低下したり処理能力が低下することを抑制でき、クロノグラフ部３２０を正しく動作させることができる。これにより、入力操作に応じて確実にクロノグラフを実行でき、使い易さを向上できる。
また、自動受信制御部３１１による受信処理は、ユーザの操作によらずに自動的に行われるため、入力操作に基づいて行われるクロノグラフを優先させることで、ユーザの意図に応じた動作を実現でき、使い易さをより向上できる。
【０１１４】
自動受信制御部３１１が受信結果表示処理を行っている間に、クロノグラフを開始させる入力操作があると、動作制御部３４０は、Ｓ８３で受信結果表示処理を終了させ、クロノグラフを実行させるため、入力操作に応じて確実にクロノグラフを実行できる。また、受信結果とクロノグラフの計測結果とを同じ指針９１を用いて表示させることができ、別々の指針を用いる場合と比べて、部品点数を低減でき、かつ、電子時計１０を小型化できる。
【０１１５】
手動受信処理は、Ｂボタン６２を３秒以上押した場合に実行され、クロノグラフは、Ｃボタン６３が少しの時間でも押された場合に実行される。このことから、手動受信処理は、ボタンの押し間違えにより開始される可能性は低く、入力操作によって手動受信処理が実行されている間に、クロノグラフを開始させる入力操作が行われた場合、後者の入力操作は、ユーザが誤ってボタンを押したことによる可能性が高い。
本実施形態では、手動受信処理の実行中に、クロノグラフを開始させる入力操作が行われても、割込禁止フラグはＯＮしているため、手動受信処理は継続され、クロノグラフが実行されることもないため、ユーザの意図に反した動作が行われることを防止できる。
【０１１６】
定時自動受信処理の実行中にクロノグラフを開始させる入力操作があり、受信処理が終了した場合、その後、前述の所定期間よりも短い期間内に受信処理を行うことができるため、受信間隔が所定期間に対して大幅（例えば２倍以上）に長くなることを抑制できる。
【０１１７】
クロノグラフの実行中に、自動受信条件に該当したり、手動受信処理を開始させる入力操作が行われても、割込禁止フラグはＯＮしているため、クロノグラフは継続され、受信処理が開始されることもない。このため、ユーザの意図に反した動作が行われることを防止できる。
【０１１８】
所定機能部３３０による所定機能の実行中に、クロノグラフを開始させる入力操作を検出しても、割込禁止フラグがＯＮしているため、所定機能は継続され、クロノグラフが実行されることもないため、ユーザの意図に反した動作が行われることを防止できる。
また、所定機能部３３０は、所定機能部３３０の動作を終了させる入力操作に基づいて動作を終了するため、所定機能部３３０が動作している場合であっても、ユーザがクロノグラフを開始させたいと考えて入力操作を行えば、直ちに所定機能部３３０の動作を終了させ、クロノグラフを実行させることができる。これにより、使い易さを向上できる。
【０１１９】
［第２実施形態］
次に、本発明の第２実施形態について説明する。
第２実施形態の電子時計は、自動受信制御処理が第１実施形態の電子時計１０とは異なる。その他については、第１実施形態と同様なので説明を省略する。
【０１２０】
図１１は、第２実施形態の自動受信制御処理を示すフローチャートである。
第２実施形態の自動受信制御処理Ｓ７０ＡのＳ４，Ｓ７１〜Ｓ７４，Ｓ７６〜Ｓ８４は、第１実施形態の自動受信制御処理Ｓ７０と同じため、説明を省略する。
【０１２１】
第２実施形態では、Ｓ７２でＹＥＳと判定された場合、動作制御部３４０は、自動受信制御部３１１に、受信処理を終了する受信終了処理を開始させる（Ｓ８５）。その後、Ｓ４で、動作制御部３４０は、クロノグラフ制御処理Ｓ４を実行させる。
ここで、受信終了処理が開始されてから、受信処理が終了するまでには、例えば、１００msecの時間を要する。
つまり、第１実施形態では、クロノグラフ制御処理Ｓ４は、受信処理が終了した後に開始されるが、第２実施形態では、クロノグラフ制御処理Ｓ４は、受信処理が終了する前であり、受信装置１２１がまだ動作している間に開始される。
【０１２２】
［第２実施形態の作用効果］
動作制御部３４０は、自動受信制御部３１１が受信処理を終了する受信終了処理を開始した後に、クロノグラフを実行させるため、第１実施形態のように受信処理が終了するのを待ってクロノグラフを実行させる場合と比べて、クロノグラフを開始させる入力操作に応じてクロノグラフをすぐに実行でき、使い易さを向上できる。
なお、第１実施形態では、受信処理が終了した後にクロノグラフが実行されるため、受信処理とクロノグラフとが同時に実行されることを確実に防止できるが、第２実施形態では、受信処理とクロノグラフとが一時的にではあるが同時に実行される。しかしながら、受信終了処理が開始された後は、受信終了処理が開始される前と比べて処理負荷は低減されるため、第２実施形態においても、処理能力の低下によりクロノグラフが正しく動作しなくなる可能性は低減できる。
【０１２３】
［変形例］
なお、本発明は前述の実施形態に限定されるものではなく、本発明の目的を達成できる範囲での変形、改良等は本発明に含まれるものである。
前記実施形態では、手動受信処理の実行中に、クロノグラフを開始させる入力操作を検出しても、手動受信処理を継続させ、クロノグラフを実行させないが、本発明はこれに限定されない。すなわち、手動受信処理を終了させ、クロノグラフを実行させてもよい。すなわち、受信処理が終了した後、または、受信終了を終了する受信終了処理が開始された後に、クロノグラフを実行させてもよい。この場合、入力操作により受信処理が行われている場合であっても、ユーザがクロノグラフを開始したいと考えて入力操作を行えば、受信処理を終了させる入力操作を別途行うことなく、クロノグラフを開始させる入力操作に応じてクロノグラフをすぐに実施でき、使い易さを向上できる。この場合、自動受信制御部３１１に加えて、手動受信制御部３１２も、本発明の受信制御部を構成する。
また、手動受信処理の実行中に、クロノグラフを開始させる入力操作を検出すると、手動受信処理を終了し、クロノグラフを実行させる場合、自動受信処理の実行中に、クロノグラフを開始させる入力操作を検出すると、自動受信処理を継続させ、クロノグラフを実行させなくてもよい。この場合は、手動受信制御部３１２が本発明の受信制御部を構成し、自動受信制御部３１１は当該受信制御部を構成しない。
【０１２４】
前記実施形態では、所定機能部３３０が動作している間に、クロノグラフを開始させる入力操作を検出しても、所定機能部３３０の動作を継続させ、クロノグラフを実行させないが、本発明はこれに限定されない。すなわち、所定機能部３３０の動作を終了させ、クロノグラフを実行させてもよい。この場合、所定機能部３３０が動作している場合であっても、ユーザがクロノグラフを開始したいと考えて入力操作を行えば、所定機能部３３０の動作を終了させる入力操作を別途行うことなく、直ちに所定機能部３３０の動作を終了させ、クロノグラフを実施でき、使い易さを向上できる。
【０１２５】
前記実施形態では、クロノグラフの実行中に、自動受信条件に該当したり手動受信処理を開始させる入力操作があり、衛星信号の受信を開始させる命令があった場合、クロノグラフ処理が終了した後も衛星信号の受信が開始されることはないが、本発明はこれに限定されない。すなわち、クロノグラフが終了した後に、衛星信号を受信させてもよい。この場合、クロノグラフが終了した後、速やかに、衛星信号を自動的に受信できる。
【０１２６】
前記実施形態では、本発明の時間計測部は、クロノグラフ部３２０で構成されているが、本発明はこれに限定されない。すなわち、時間計測部は、予め設定された時間からカウントダウン形式で時間を計測するタイマーであってもよい。
【０１２７】
前記実施形態では、自動受信制御部３１１は、測時モードで自動受信処理を行っているが、測時モードに加えて測位モードで自動受信処理を行ってもよい。
【０１２８】
前記実施形態では、定時自動受信処理における受信タイミングは、３日に１回の間隔で設定されることが例示されているが、受信タイミングを毎日設定してもよい。
なお、この場合、自動受信制御処理Ｓ７０のＳ７６およびＳ７７による、受信処理が定時自動受信処理の場合に次回の受信タイミングを設定する処理は省略される。
【０１２９】
位置情報衛星の例として、ＧＰＳ衛星８について説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【０１３０】
前記実施形態では、所定機能部３３０は、受信結果表示機能部３３１、閏秒受信結果表示機能部３３２、自動受信選択機能部３３３を備えているが、本発明はこれに限定されない。
例えば、所定機能部３３０は、入力装置１５７に対する入力操作に基づいて動作する、アラーム設定部、アラーム表示部、タイマー設定部、タイマー表示部、照明設定部、機内モード設定部、小時計設定部を備えていてもよい。
【０１３１】
電子時計１０が、アラーム音を鳴らすアラーム機能を備えている場合に、アラーム設定部、アラーム表示部は設けられる。
アラーム設定部は、ボタン操作に応じて、例えば、アラーム音を鳴らす開始時刻の設定や、アラーム音を鳴らしている時間（鳴動時間）や、アラーム音の大きさの設定を行う。このとき、アラーム設定部は、例えば指針２１等の所定の指針を移動させて、前記開始時刻や、鳴動時間や、アラーム音の大きさを指示させる。
アラーム表示部は、アラーム機能がＯＮしている場合に、ボタン操作に応じて、所定の指針を移動させて、アラーム設定部で設定された、例えば、前記開始時刻や、鳴動時間や、アラーム音の大きさを指示させる。
【０１３２】
電子時計１０がタイマー機能を備えている場合に、タイマー設定部、タイマー表示部は設けられる。
タイマー設定部は、ボタン操作に応じて、カウントダウンを始める時間（５分間、３０分間、１時間等）の設定を行う。このとき、タイマー設定部は、所定の指針を移動させて、当該時間を指示させる。
タイマー表示部は、タイマー機能がＯＮしている場合に、ボタン操作に応じて、所定の指針を移動させて、カウントダウンによる残り時間を指示させる。
【０１３３】
電子時計１０が照明機能を備えている場合に、照明設定部は設けられる。
照明設定部は、ボタン操作に応じて、例えば、照明の照度や、１度の操作での照明時間（照明が継続される時間）の設定を行う。このとき、照明設定部は、所定の指針を移動させて、照度や照明時間を指示させる。
【０１３４】
機内モード設定部は、Ａボタン６１の操作に応じて、機内モードのＯＮ／ＯＦＦを設定する。このとき、機内モード設定部は、指針９１を移動させて、機内モードＯＮを示す位置（図２の記号９３の位置）、または、機内モードＯＦＦを示す位置（記号９３以外の位置）を指示させる。
【０１３５】
電子時計１０が、例えば、現在時刻とは異なる他の地域の時刻を表示可能な小時計を備えている場合に、小時計設定部は設けられる。
小時計設定部は、ボタン操作に応じて、小時計の時刻を設定する。このとき、小時計設定部は、小時計の指針を移動させて、設定された時刻を指示させる。
【符号の説明】
【０１３６】
１０…電子時計、１２１…受信装置、１４１…表示装置、１５７…入力装置、２００…記憶装置、３００…制御装置、３１１…自動受信制御部、３１２…手動受信制御部、３１５…時刻修正部、３２０…クロノグラフ部、３３０…所定機能部、３３１…受信結果表示機能部、３３２…閏秒受信結果表示機能部、３３３…自動受信選択機能部、３４０…動作制御部。
【図１】
2015194458.tif 000003
【図２】
2015194458.tif 000004
【図３】
2015194458.tif 000005
【図４】
2015194458.tif 000006
【図５】
2015194458.tif 000007
【図６】
2015194458.tif 000008
【図７】
2015194458.tif 000009
【図８】
2015194458.tif 000010
【図９】
2015194458.tif 000011
【図１０】
2015194458.tif 000012
【図１１】
2015194458.tif 000013